【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
複数のメモリサブアレイを含むランダムアクセスメモリアレイを少なくとも一つ含む集積回路装置の動作のための方法であって、
前記メモリサブアレイに対するランダムアクセスの読出しまたは書込みサイクルは、単一のクロックサイクルで実行され、
各サイクルが読取、書込、または、動作なしのいずれのサイクルタイプであるかによらず、各クロックサイクルの始まりにおいてプリチャージを開始する方法。
【請求項２】
前記クロックサイクルを示すクロックの所定のエッジで、プリチャージを開始する
請求項１に記載の方法。
【請求項３】
前記クロックサイクルとは異なるタイマにより、前記プリチャージの終わりの時間を決定する
請求項２に記載の方法。
【請求項４】
前記メモリアレイの動作のアクティブな部分の完了は、次のクロックサイクルの始まりで指定される
請求項３に記載の方法。
【請求項５】
前記メモリサブアレイのうち、クロックサイクルの始まりにおいてアクティブな状態にあったものに、前記プリチャージを開始する
請求項３または４に記載の方法。
【請求項６】
前記クロックサイクルを規定するクロック信号と、アクティブにすべき前記メモリサブアレイを指定するアレイ選択バー信号とに基づいて、前記プリチャージの開始を指示するプリチャージバー信号を生成する
請求項５に記載の方法。
【請求項７】
メインワード線をアクティブにするか否かを切り替えるワード線信号を、前記プリチャージバー信号に基づいて生成する
請求項６に記載の方法。
【請求項８】
前記プリチャージの実行中に、前記メモリサブアレイのアドレスをプリデコードする
請求項１から７のいずれかに記載の方法。
【請求項９】
前記プリチャージの実行中に、前記メモリサブアレイに書込動作のためのデータを伝搬する
請求項１から８のいずれかに記載の方法。
【請求項１０】
前記プリチャージの実行中に、前記メモリサブアレイへのデータアクセスの少なくとも一部が前記メモリサブアレイと関連するキャッシュに保持されているかどうかを決定する
請求項１から９のいずれかに記載の方法。
【請求項１１】
複数のメモリサブアレイを含むランダムアクセスメモリアレイを少なくとも一つ含む集積回路装置であって、
前記メモリサブアレイに対するランダムアクセスの読出しまたは書込みサイクルを、単一のクロックサイクルで実行する手段と、
各サイクルが読取、書込、または、動作なしのいずれのサイクルタイプであるかによらず、各クロックサイクルの始まりにおいてプリチャージを開始する
を備える集積回路装置。
【請求項１２】
前記プリチャージを開始する手段は、前記クロックサイクルを示すクロックの所定のエッジで、プリチャージを開始する
請求項１１に記載の集積回路装置。
【請求項１３】
前記クロックサイクルとは異なるタイマにより、前記プリチャージの終わりの時間を決定する手段を更に備える
請求項１２に記載の集積回路装置。
【請求項１４】
前記メモリアレイの動作のアクティブな部分の完了を、次のクロックサイクルの始まりで指定する手段を更に備える
請求項１３に記載の集積回路装置。
【請求項１５】
前記プリチャージを開始する手段は、前記メモリサブアレイのうち、クロックサイクルの始まりにおいてアクティブな状態にあったものに、前記プリチャージを開始する
請求項１３または１４に記載の集積回路装置。
【請求項１６】
前記クロックサイクルを規定するクロック信号と、アクティブにすべき前記メモリサブアレイを指定するアレイ選択バー信号とに基づいて、前記プリチャージの開始を指示するプリチャージバー信号を生成するプリチャージクロックジェネレータを有する
請求項１５に記載の集積回路装置。
【請求項１７】
メインワード線をアクティブにするか否かを切り替えるワード線信号を、前記プリチャージバー信号に基づいて生成するデコーダ回路を有する
請求項１６に記載の集積回路装置。
【請求項１８】
前記プリチャージの実行中に、前記メモリサブアレイのアドレスをプリデコードする手段を更に備える
請求項１１から１７のいずれかに記載の集積回路装置。
【請求項１９】
前記プリチャージの実行中に、前記メモリサブアレイに書込動作のためのデータを伝搬する手段を更に備える
請求項１１から１８のいずれかに記載の集積回路装置。
【請求項２０】
前記プリチャージの実行中に、前記メモリサブアレイへのデータアクセスの少なくとも一部が前記メモリサブアレイと関連するキャッシュに保持されているかどうかを決定する手段を更に備える
請求項１１から１９のいずれかに記載の集積回路装置。
【請求項２１】
前記プリチャージクロックジェネレータは、
昇圧された供給電圧ソースおよび基準電圧レベルの間に設けられ、順に直列接続される第１のＰチャネルトランジスタ、第２のＰチャネルトランジスタ、第１のＮチャネルトランジスタ、第２のＮチャネルトランジスタ、および、第３のＮチャネルトランジスタと、
前記第２のＰチャネルトランジスタと並列接続される第３のＰチャネルトランジスタと、
昇圧された供給電圧ソースおよび基準電圧レベルの間に設けられ、順に直列接続される第４のＰチャネルトランジスタ、第５のＰチャネルトランジスタ、第４のＮチャネルトランジスタ、および、第５のＮチャネルトランジスタと
を有し、
前記第３のＰチャネルトランジスタおよび前記第３のＮチャネルトランジスタのゲート端子には前記クロック信号が与えられ、
前記第２のＰチャネルトランジスタ、第２のＮチャネルトランジスタ、第５のＰチャネルトランジスタ、および、第５のＮチャネルトランジスタのゲート端子には、前記アレイ選択バー信号に応じた信号が与えられ、
前記第１のＮチャネルトランジスタおよび前記第４のＮチャネルトランジスタのゲート端子には、昇圧されていない供給電圧が与えられ、
前記第１のＰチャネルトランジスタのゲート端子は、前記第５のＰチャネルトランジスタのドレイン端子に接続され、
前記第４のＰチャネルトランジスタのゲート端子は、前記第２のＰチャネルトランジスタのドレイン端子に接続され、
前記第５のＰチャネルトランジスタのドレイン端子は、インバータを介して前記プリチャージバー信号を出力する
請求項１６に記載の集積回路装置。
【請求項２２】
前記プリチャージクロックジェネレータは、
昇圧されていない供給電圧ソースと、前記基準電圧レベルの間に設けられ、順に直列接続される第６のＰチャネルトランジスタ、第６のＮチャネルトランジスタ、および、第７のＮチャネルトランジスタを更に有し、
前記第６のＰチャネルトランジスタ、および、前記第６のＮチャネルトランジスタのゲート端子には、アレイ選択バー信号が与えられ、
前記第７のＮチャネルトランジスタのゲート端子には、前記クロック信号が与えられ、
前記第６のＰチャネルトランジスタのドレイン端子は、前記第５のＰチャネルトランジスタのゲート端子に接続される
請求項２１に記載の集積回路装置。
【請求項２３】
前記プリチャージクロックジェネレータは、
ソース端子が接地され、ドレイン端子が前記第６のＰチャネルトランジスタのドレイン端子に接続される第８のＮチャネルトランジスタと、
前記第８のＮチャネルトランジスタのドレイン端子およびゲート端子の間に設けられるインバータと
を更に有する
請求項２２に記載の集積回路装置。